(57)【要約】【課題】加熱装置から排出される排気温度が高く不安全であり、前面排気風の温度を低減させること。【解決手段】加熱室３内の被加熱物８を加熱する加熱手段２と、加熱室３を開閉する扉４と、加熱手段２を制御する制御部５と、加熱手段２の駆動を制御する操作部６とを備え、加熱室３の排気口の外側に設けられた排気ガイド９の外面を覆うエアガイド１０との間に空間を設け、その空間内に冷却ファンモータ１２の風を通すとともに、排気ガイド９とエアガイド１０の排出側は加熱室３上部に設けられた空気蓄積室１１に連結し、空気蓄積室１１内で冷却ファンモータ１２の冷却風と加熱室３から排出された熱風を混合させる構成とし、加熱室３から排出される熱気を排気通路を通る途中に冷却風を混合させながら、排気温度を下げる。【選択図】図１
2010203664.tif 000002
【特許請求の範囲】
【請求項１】
加熱室と、前記加熱室内の被加熱物を加熱する加熱手段と、前記加熱室を開閉する扉と、前記加熱手段を制御する制御部と、前記加熱手段の駆動を制御する操作部とを備え、加熱室の排気口の外側に設けられた排気ガイドの外面を覆うエアガイドとの間に空間を設け、その空間内に冷却ファンモータの風を通す構成としたビルトイン型加熱装置。
【請求項２】
排気ガイドとエアガイドの排出側は加熱室上部に設けられた空気蓄積室に連結し、前記空気蓄積室内で冷却ファンモータの冷却風と前記加熱室から排出された熱風を混合させる構成とした請求項１に記載のビルトイン型加熱装置。
【請求項３】
空気蓄積室の後方に開口が設けられ、その開口に連結されたエアガイドＢには、冷却ファンモータから送られた冷風が流れ込み、前記空気蓄積室の混合空気と混ざり合いながら導風管に押し出され、導風管に導かれながら、操作部前面に設けられた排気口から加熱室の風が排出される構成とした請求項１に記載のビルトイン型加熱装置。
【発明の詳細な説明】
【技術分野】
【０００１】
本発明はヒータやマイクロ波等によって被加熱物を加熱する加熱装置に関し、庫内の蒸気や熱気を操作部前面の排気口や加熱室前板の排気口から、操作部とドアの隙間を通して排気する構成としたビルトイン型高周波加熱装置に関する。
【背景技術】
【０００２】
一般にヒータやマイクロ波等によって被加熱物を加熱する加熱装置、例えば高周波加熱装置は装置本体の前面に加熱手段等を操作する操作部が設けてある（例えば、特許文献１参照）。
【０００３】
図３は、このような高周波加熱装置をキッチンに組込んだ状態の斜視図、図４は扉を少し開いた状態の斜視図である。
【０００４】
図３と図４に示されるように、加熱装置２はキッチンの収納家具１に組み込まれ、ヒータ、高周波、スチーム等の加熱手段（図示せず）により被加熱物を加熱するための加熱室３を有している。加熱室３の前面には、金属枠に窓部が設けられた扉４が設けられ、加熱室３を開閉する。この窓部は耐熱性ガラスで構成されている。
【０００５】
また、扉中央上部には扉を開閉するためのハンドル４ａが設けられている。制御部５は、装置本体の適所に設けられ、上記加熱手段を制御する。操作部６は上記装置本体の扉上方に設けられ、制御部５を介して加熱手段等を制御する。
【特許文献１】特開昭５９−２１２６２６号公報
【発明の開示】
【発明が解決しようとする課題】
【０００６】
高周波加熱装置で調理物をオーブン機能で調理した場合は、加熱室の中央温度は２５０℃近い温度となっており、加熱装置から排出される時は排気口部で、１１０℃近い温度となっている。
【０００７】
ＩＨクッキングヒータの下にビルトインされる高周波加熱装置では、排気筒を使い、電気オーブンレンジの排気口とＩＨクッキングヒータの排気口とを連結し、高周波加熱装置の加熱室の熱風をＩＨクッキングヒータの後面より排気していたので、高温の熱風がお客様の顔や体に当たるということはない。
【０００８】
しかし、ガスレンジや電気レンジが高周波加熱装置の上に配置される場合、排気筒が連結できなくなるので、高周波加熱装置の加熱室の排気は、操作部前面又は加熱室の前板の排気口から排出され、操作部とドアの隙間の間から排気する方式が一般的であった。前面の排気では排気口が子供の顔の位置となり、高温の排気風が子供の顔や目に当り危険であったり、大人の足元に熱風が当たるために不快感があったりという欠点があった。
【０００９】
本発明はこのような課題を解決したもので、高周波加熱装置から前面排気される排気の温度を下げることにより、より安全に、より快適に調理することができるビルトイン型加熱装置を提供することを目的としたものである。
【課題を解決するための手段】
【００１０】
加熱室と、前記加熱室内の被加熱物を加熱する加熱手段と、前記加熱室を開閉する扉と、前記加熱手段を制御する制御部と、前記加熱手段の駆動を制御する操作部とを備え、加
熱室の排気口の外側に設けられた排気ガイドの外面を覆うエアガイドとの間に空間を設け、その空間内に冷却ファンモータの風を通すとともに、前記排気ガイドと前記エアガイドの排出側は前記加熱室上部に設けられた空気蓄積室に連結し、前記空気蓄積室内で前記冷却ファンモータの冷却風と前記加熱室から排出された熱風を混合させる構成としている。
【００１１】
かつ、前記空気蓄積室の後方に開口が設けられ、その開口に連結されたエアガイドＢには、前記冷却ファンモータから送られた冷風が流れ込み、前記空気蓄積室の混合空気と混ざり合いながらさらに排気温度を下げながら導風管に押し出され、前記導風管に導かれながら、前記操作部前面に設けられた排気口から前記加熱室の風が排出される構成としている。
【００１２】
これによって安全性が格段に高まり、安心してビルトイン型加熱装置の前で調理を行ったり、子供への危険性を低減したりすることができるものである。
【発明の効果】
【００１３】
本発明は高周波加熱装置からの排気温度を下げることにより、人への安全性が高まるとともに、熱風が足に当たることによる不快感を低減することができる。
【発明を実施するための最良の形態】
【００１４】
第１の発明は、加熱室と、前記加熱室内の被加熱物を加熱する加熱手段と、前記加熱室を開閉する扉と、前記加熱手段を制御する制御部と、前記加熱手段の駆動を制御する操作部とを備え、加熱室の排気口の外側に設けられた排気ガイドの外面を覆うエアガイドとの間に空間を設け、その空間内に冷却ファンモータの風を通すとともに、前記排気ガイドと前記エアガイドの排出側は前記加熱室上部に設けられた空気蓄積室に連結し、前記空気蓄積室内で前記冷却ファンモータの冷却風と前記加熱室から排出された熱風を混合させる構成としている。
【００１５】
かつ、前記空気蓄積室の後方に開口が設けられ、その開口に連結されたエアガイドＢには、前記冷却ファンモータから送られた冷風が流れ込み、前記空気蓄積室の混合空気と混ざり合いながらさらに排気温度を下げながら導風管に押し出され、前記導風管に導かれながら、前記操作部前面に設けられた排気口から前記加熱室の風が排出される構成としたビルトイン型加熱装置である。
【００１６】
以下、本発明の実施の形態を図面を参照しながら説明する。なお、この実施の形態によって本発明が限定されるものではない。また、従来と同じ構成に対しては同じ符号を付し、その説明を省略する。
【００１７】
図１は、本発明の実施の形態にかかる高周波加熱装置を示す斜視図である。
【００１８】
図１において、加熱装置３の左側面の排気構成について示している。加熱室３の左側面には排気パンチング７が複数個あり、被加熱物８が加熱室３で調理した際に発生する蒸気や熱、及びヒータ（図示せず）から発生する熱を加熱室３外に排出する構成となっている。
【００１９】
排気パンチング７の加熱室３の外側に排気パンチング７全体を覆うように排気カバー９が構成されている。排気カバー９と隙間を開けた状態で、排気カバー９全体を覆うようにエアガイド１０が構成されており、排気カバー９の下面も、エアガイド１０の下面も開口となっている。
【００２０】
排気カバー９もエアガイド１０の上面の開口は、空気蓄積室１０に連結されている。排
気カバー９とエアガイド１０の下側の開口の下には冷却ファンモータ１２が位置され、加熱室３の下側より冷たい空気を取り入れられた冷風が排気カバー９とエアガイド１０の隙間を通り、空気蓄積室１１に導かれることとなる。
【００２１】
加熱室３から排出された熱気と冷却ファンモータ１２からの冷気が空気蓄積室１１で混合されることとなる。
【００２２】
空気蓄積室１１の後側には開口があり、その開口に連結されるＬ型のエアガイドＢ１４があり、もう一方の端も開口となっている。空気蓄積室１１に連結されない側の開口の下面には冷却ファンモータ１２があり、冷却ファンモータ１２の冷却風が、エアガイドＢ１４の中を通り、空気蓄積室１１に、導かれることとなる。
【００２３】
空気蓄積室１１内で混合された風は、蓄積されたの後方から入ってきた冷却風に押され、導風管１３の中を通り、操作部６に設けられた排気口１５から排出されることとなる。したがって、加熱室から排気された高温の空気は数回に分けて冷却されることで、排気温度の低い排気風を排出することができることとなる。
【産業上の利用可能性】
【００２４】
以上のように、本発明は、ビルトイン型の高周波加熱調理装置に適用できるものである。
【図面の簡単な説明】
【００２５】
【図１】本発明の実施の形態にかかる高周波加熱装置の加熱室側面の状態を示す斜視図
【図２】本発明の実施の形態にかかる高周波加熱装置の左断面図
【図３】従来の高周波加熱装置がキッチンに組込まれた状態を示す斜視図
【図４】従来の高周波加熱装置の扉を開閉した時の斜視図
【符号の説明】
【００２６】
１  収納家具
２  加熱装置
３  加熱室
４  扉
４ａ  ハンドル
５  制御部
６  操作部
７  加熱室の排気口
８  被加熱物
９  排気ガイド
１０  エアガイド
１１  空気蓄積室
１２  冷却ファンモータ
１３  導風管
１４  エアガイドＢ
１５  操作部の排気口
【図１】
2010203664.tif 000003
【図２】
2010203664.tif 000004
【図３】
2010203664.tif 000005
【図４】
2010203664.tif 000006